(57)【要約】【課題】  雨天走行時に雨の浸入を阻止するサイドバイザを不要にする。【解決手段】  車両１に開閉可能に設けられたウインドウ３の開口縁が接する車両ボディの窓枠部分に設けられたエアカーテン形成用のノズル４と、ノズル４に圧縮空気を供給するエアポンプと、ノズル４と前記エアポンプとを接続する空気用配管５と、前記エアポンプに制御信号を出力する制御手段とを備える。【選択図】  図３
2005349979.tif 000002
【特許請求の範囲】
【請求項１】
車両に開閉可能に設けられたウインドウの開口縁が接する車両ボディの窓枠部分に設けられたエアカーテン形成用のノズルと、前記ノズルに圧縮空気を供給するエアポンプと、前記ノズルと前記エアポンプとを接続する空気用配管と、前記エアポンプに制御信号を出力する制御手段とを備えることを特徴とする車両用のエアカーテン装置。
【請求項２】
前記ノズルは、前記開口縁に沿う方向に長手の開口を有することを特徴とする請求項１に記載の車両用のエアカーテン装置。
【請求項３】
前記ノズルは、前記開口縁に沿う方向に複数個配列されていることを特徴とする請求項１または請求項２に記載の車両用のエアカーテン装置。
【請求項４】
前記ノズルから吹き出されるエアカーテンの吹き出し方向が斜め下方向となる様に前記ノズルが形成されていることを特徴とする請求項１乃至請求項３のいずれかに記載の車両用のエアカーテン装置。
【請求項５】
請求項１乃至請求項４のいずれかに記載の車両用のエアカーテン装置を搭載したことを特徴とする車両。
【発明の詳細な説明】
【技術分野】
【０００１】
本発明は車両用のエアカーテン装置に係り、特に、サイドバイザの代わりに使用できるエアカーテン装置に関する。
【背景技術】
【０００２】
車両に搭載するエアカーテン装置として、例えば下記特許文献１記載のものがある。このエアカーテン装置は、車両の乗降用ドアの内側または外側の上縁に沿って乗降口の上方向に向けたノズルを設けておき、乗降用ドアが少し開けられたとき、ノズルからエアを吹き出して雨を吹き払うようになっている。これにより、雨天でドアを開けたときドアと乗降口との間に雨が落ちなくなり、その間に乗員は傘を開閉することが可能となる。
【０００３】
【特許文献１】特開２００４―５８９２９号公報
【発明の開示】
【発明が解決しようとする課題】
【０００４】
しかしながら、従来のエアカーテン装置は、ドアの開閉でエア吹き出しのオンオフ制御を行っているに過ぎず、ドアの窓を開閉したときには何の機能も果たしていない。
【０００５】
雨天での車両走行で、換気のために窓を少し開けると、そこから雨が車室内に吹き込むため、この雨の車室内への吹き込みを防止するために、従来から窓枠の上縁に沿ってサイドバイザを取り付けることができる様になっている。しかし、このサイドバイザは、晴天時の走行では無用な存在であり、しかも、車両外部に突起物として設けるため、車両の外観美を損ねるという問題がある。
【０００６】
本発明の目的は、サイドバイザの代わりに使用でき車両の外観美を損ねることのない車両用のエアカーテン装置を提供することにある。
【課題を解決するための手段】
【０００７】
本発明の車両用のエアカーテン装置は、車両に開閉可能に設けられたウインドウの開口縁が接する車両ボディの窓枠部分に設けられたエアカーテン形成用のノズルと、前記ノズルに圧縮空気を供給するエアポンプと、前記ノズルと前記エアポンプとを接続する空気用配管と、前記エアポンプに制御信号を出力する制御手段とを備えることを特徴とする。
【０００８】
この構成により、雨天走行時にウインドウを換気の為に開けても、ノズルからエアカーテンを吹き出すことで、雨が車室内に浸入するのを防止でき、このため、サイドバイザが不要となる。
【０００９】
本発明の車両用のエアカーテン装置の前記ノズルは、前記開口縁に沿う方向に長手の開口を有することを特徴とする。
【００１０】
この構成により、ウインドウを開けた開口部を良好にカバーするエアカーテンの形成が容易となる。
【００１１】
本発明の車両用のエアカーテン装置の前記ノズルは、前記開口縁に沿う方向に複数個配列されていることを特徴とする。
【００１２】
この構成により、更に、ウインドウを開けた開口部を良好にカバーするエアカーテンの形成が容易となる。
【００１３】
本発明の車両用のエアカーテン装置は、前記ノズルから吹き出されるエアカーテンの吹き出し方向が斜め下方向となる様に前記ノズルが形成されていることを特徴とする。
【００１４】
この構成により、より効率的に雨の落下方向をエアカーテンの風圧でウインドウの外側に変更可能となる。
【００１５】
本発明の車両は、上述したいずれかに記載の車両用のエアカーテン装置を搭載したことを特徴とする。
【００１６】
この構成により、外観美の優れた車両を提供することができる。
【発明の効果】
【００１７】
本発明によれば、雨天走行時に換気のためにウインドウを開けても雨の車室内への浸入を阻止可能となり、サイドバイザを車両に取り付ける必要がなくなる。
【発明を実施するための最良の形態】
【００１８】
以下、本発明の一実施形態について、図面を参照して説明する。
【００１９】
図１は、本発明の一実施形態に係るエアカーテン装置を搭載した車両の要部外観図であり、図２は、図１のII―II線断面図である。この車両１の左フロントドア２の窓枠となる天井ボディの側面部には、左フロントドア２に上下方向に開閉自在に取り付けられたパワーウインドウ３の開口縁、この例では上縁に沿うノズル４が複数個配列形成されている。各ノズル４の開口は、上記の上縁に沿う方向に長手に形成されている。
【００２０】
車両１の天井ボディ内には、図２に示す様に、複数本の空気用配管５が引き回されており、各空気用配管５の一端に上記のノズル４が連設され、各空気用配管５の他端側は１本に集約されて、図示しないエアポンプに接続される。各ノズル４から吹き出されるエアカーテン６の吹き出し方向は、水平よりも下方に向けられており、雨の落下方向を、より少ない風圧でウインドウ３の外側に移動させることができるようになっている。
【００２１】
図３は、上述したエアカーテン装置の動作説明図である。雨天走行時に、ウインドウ３が換気のために若干開けられて隙間７がウインドウ３の上縁部と天井ボディの窓枠部との間に形成されると、上記のエアポンプが起動して、圧縮空気が空気用配管５に圧送される。この圧縮空気は各ノズル４から車室外に吹き出され、隙間７の上縁に沿ってエアエーテン６が形成される。隙間７内に浸入する方向に落下してくる雨８は、このエアカーテン６の風圧を受けることで、その落下方向が車室外方向に変更され、車室内への雨の浸入が阻止される。
【００２２】
上記のエアポンプの起動信号、停止信号は、乗員の手操作入力指示によってエアカーテン装置の制御装置がエアポンプに制御信号として出力する構成でもよいが、制御装置が自動的にエアポンプを制御する機能を車両に搭載することでもよい。これは、制御装置に、雨滴検出センサまたは雨量検出センサとウインドウ３の開量すなわち隙間７の開量を検出するセンサを接続し、制御装置がこれらのセンサ検出値を取り込んで、エアポンプの起動、停止を判断することで可能となる。更に、エアポンプの回転数制御を行って風圧制御も併せて行うのがよい。
【００２３】
制御装置としては、エアカーテン装置専用のワンチップマイコンを設けても良いが、他の車両制御装置、例えばカーエアコン制御装置をマルチタスクで動作させ、そのタスクの一つでエアカーテン装置を制御させる構成でも良い。
【００２４】
尚、図１、図２、図３では、左フロントドア上縁に設けたノズルのみを説明したが、右フロントドアや左、右のリアドアの天井ボディ側面部にも夫々エアカーテン用のノズルを設けると共に、各ドア用に別個にセンサやエアポンプを設け、夫々独立に制御するのが良い。
【００２５】
図４は、エアカーテン装置の制御装置が行う制御手順を示すフローチャートである。制御装置は、ウインドウ３が所定開量以下、例えば５ｃｍ以下だけ開けられているか否かを開量検出センサの検出信号によって判定し（ステップＳ１）、次に、雨滴検出センサの検出信号によって雨が降っているか否かを判定する（ステップＳ２）。
【００２６】
そして、ウインドウ３が所定開量以下だけ開けられており且つ雨が降っていると判定したときは、エアポンプを起動してエアカーテンを形成する（ステップＳ３）。これにより、ウインドウ３を開けた隙間から雨が浸入するのが防止される。ウインドウ３が全閉あるいは所定開量以上開けられているとき、または、雨が降っていないときはこのエアカーテン装置の制御は行わない。
【００２７】
ウインドウが例えば１ｃｍ程度開けられているときと、５ｃｍ程度開けられているときでは、雨の落下方向を移動させるのに必要な風圧は異なってくる。また、そのときの雨の強さによっても必要な風圧は異なってくる。そこで、開量検出センサが検出したウインドウの開量検出値と、雨滴検出センサまたは雨量検出センサが検出した検出値とに応じて、最適な風圧のエアカーテンが形成されるようにエアポンプの回転数制御を行う。
【００２８】
このとき、ウインドウの開量が広すぎて、最大風圧にしても雨がウインドウから入ってくると判定できるときは、自動的にウインドウの開量を狭くするようにパワーウインドウ駆動モータを自動的に制御する様にすることも可能である。
【産業上の利用可能性】
【００２９】
本発明に係る車両用のエアカーテン装置は、換気のためにウインドウを少し開けても雨はエアカーテンによって吹き飛ばされ車室内に浸入しないため、サイドバイザの代わりに使用できるエアカーテン装置として有用である。
【図面の簡単な説明】
【００３０】
【図１】本発明の一実施形態に係る車両用のエアカーテン装置の要部外観図
【図２】本発明の一実施形態に係る車両用のエアカーテン装置の要部断面図
【図３】本発明の一実施形態に係る車両用のエアカーテン装置の動作説明図
【図４】本発明の一実施形態に係る車両用のエアカーテン装置の制御装置が行う制御手順を示すフローチャート
【符号の説明】
【００３１】
１  車両
２  ドア
３  ウインドウ
４  ノズル
５  空気用配管
６  エアカーテン
７  隙間
８  雨
【図１】
2005349979.tif 000003
【図２】
2005349979.tif 000004
【図３】
2005349979.tif 000005
【図４】
2005349979.tif 000006